(57)【要約】【課題】温水供給管内の滞留水を排水する際の漏水を抑制可能な排水設備を提供する。【解決手段】排水設備１は、蛇口３へ温水を供給するために敷設された温水供給管１０と、温水供給管１０内に溜まった水を排水するために敷設された第一排水管２０と、温水供給管１０と第一排水管２０とを連通させるために開閉する電磁弁３０と、電磁弁３０を制御する制御装置４０と、第一排水管２０に設けられ、通常時には第一排水管２０を閉塞し、制御装置４０が電磁弁３０を作動させたときには温水供給管１０から第一排水管２０へ流れ込んだ水を受け入れて第一排水管２０を開通させる自封式弁５０と、下水を排水するために敷設された第二排水管６０と、第一排水管２０から自封式弁５０を通じて排水される水を第二排水管６０へ向けて流すために敷設された連絡管８０と、を有する。【選択図】図１
2019152049.tif 000002
【特許請求の範囲】
【請求項１】
温水供給先へ温水を供給するために敷設された温水供給管と、
前記温水供給管内に溜まった水を排水するために敷設された第一排水管と、
前記温水供給管と前記第一排水管とを連通させるために開閉する電磁弁と、
前記電磁弁を制御する制御装置と、
前記第一排水管に設けられ、通常時には前記第一排水管を閉塞し、前記制御装置が前記電磁弁を作動させたときには前記温水供給管から前記第一排水管へ流れ込んだ水を受け入れて前記第一排水管を開通させる自封式弁と、
下水を排水するために敷設された第二排水管と、
前記第一排水管から前記自封式弁を通じて排水される水を前記第二排水管へ向けて流すために敷設された連絡管と、を有することを特徴とする排水設備。
【請求項２】
前記第二排水管に設けられた排水トラップを有し、
前記連絡管は、前記第一排水管から前記自封式弁を通じて排水される水を前記排水トラップへ向けて流すことを特徴とする請求項１に記載の排水設備。
【請求項３】
前記連絡管の一端は、前記排水トラップの外壁に設けられた貫通孔に接続されていることを特徴とする請求項２に記載の排水設備。
【請求項４】
前記排水トラップは、前記排水トラップより下流側からの臭気の到達を抑制するための水封部を有し、
前記連絡管から前記排水トラップへの排水は、前記水封部の直上から行われることを特徴とする請求項３に記載の排水設備。
【請求項５】
前記制御装置は、タイマーを有し、前記タイマーの時刻が所定時刻になったときには、前記電磁弁を開く制御を実行することを特徴とする請求項１乃至４のいずれかに記載の排水設備。
【請求項６】
前記温水供給管内の水温を検知する温度センサを有し、
前記制御装置は、前記温度センサによって検知される水温が第１設定温度以下になったときには、前記電磁弁を開く制御を実行することを特徴とする請求項１乃至５のいずれかに記載の排水設備。
【請求項７】
前記制御装置は、前記電磁弁を開いた後に、前記温度センサによって検知される水温が第１設定温度より高い第２設定温度以上になったときには、前記電磁弁を閉じる制御を実行することを特徴とする請求項６に記載の排水設備。
【請求項８】
前記温度センサは、前記温水供給管のうち前記第一排水管への分岐部よりも上流側に設けられることを特徴とする請求項６又は７に記載の排水設備。
【発明の詳細な説明】
【技術分野】
【０００１】
本発明は、排水設備に係り、特に、温水供給管内に溜まった低温の水を排水可能な排水設備に関する。
【背景技術】
【０００２】
温水を供給するために敷設された温水供給管内で温水が滞留すると、その温水は、やがて低温の水となる。その後に再び温水を供給するとき、温水供給管内に溜まった低温の水（以下、滞留水）が先に供給されるため、滞留水を十分に排水するまで時間が掛かり、その間、温水利用者は温水が供給されるまで待たされることになる。
【０００３】
そこで例えば特許文献１には、温水供給停止後、タイマー設定等によって温水供給管内の滞留水を自動的に排水する設備（排水設備）が提案されている。かかる設備によれば、温水供給を停止してから暫く経過した後に再び温水を供給する際には、新しく生成された温水（すなわち、滞留水でない温水）が供給先で直ちに供給されるようになる。
【先行技術文献】
【特許文献】
【０００４】
【特許文献１】特開２００２−１３７４７号公報
【発明の概要】
【発明が解決しようとする課題】
【０００５】
ところで、滞留水の排水方式として、滞留水が流れる排水管（第一排水管）と、下水が流れる排水管（第二排水管）と、の間に開口空間を確保して排水する方式、すなわち間接排水方式を採用すると、上記の開口空間にて排水が飛散し漏水が発生する虞がある。また、間接排水方式では、虫等が管内に入り込むこともある。
本発明は、上記の課題に鑑みてなされたものであり、その目的は、温水供給管内の滞留水を排水する際の漏水を抑制することができる排水設備を提供することである。
【課題を解決するための手段】
【０００６】
上記課題は、本発明に係る排水設備によれば、温水供給先へ温水を供給するために敷設された温水供給管と、前記温水供給管内に溜まった水を排水するために敷設された第一排水管と、前記温水供給管と前記第一排水管とを連通させるために開閉する電磁弁と、前記電磁弁を制御する制御装置と、前記第一排水管に設けられ、通常時には前記第一排水管を閉塞し、前記制御装置が前記電磁弁を作動させたときには前記温水供給管から前記第一排水管へ流れ込んだ水を受け入れて前記第一排水管を開通させる自封式弁と、下水を排水するために敷設された第二排水管と、前記第一排水管から前記自封式弁を通じて排水される水を前記第二排水管へ向けて流すために敷設された連絡管と、を有することにより解決される。
【０００７】
上記の排水設備によれば、自封式弁を通じて排水される温水供給管内の滞留水を、下水を排水するための排水管（第二排水管）に直接流し込むことができる。これにより、温水供給管内の滞留水を排水する際の漏水を抑制できる。
【０００８】
上記の排水設備において、前記第二排水管に設けられた排水トラップを有し、前記連絡管は、前記第一排水管から前記自封式弁を通じて排水される水を前記排水トラップへ向けて流すとよい。
こうすることで、自封式弁を通じて排水される温水供給管内の滞留水を、下水を排水するための第二排水管に設けられた排水トラップに向けて流し込むことができる。これにより、温水供給管内の滞留水を用いて、第二排水管に設けられた排水トラップを洗浄することができる。
【０００９】
上記の排水設備において、前記連絡管の一端は、前記排水トラップの外壁に設けられた貫通孔に接続されているとよい。
こうすることで、簡易な構成により温水供給管内の滞留水を、排水トラップに直接流し込むことができる。これにより、温水供給管内の滞留水を用いて、第二排水管に設けられた排水トラップをより効率良く洗浄することができる。
また、このように温水供給管内の滞留水を排水トラップに直接流し込むことで、排水時の騒音を抑制できる。
【００１０】
上記の排水設備において、前記排水トラップは、前記排水トラップより下流側からの臭気の到達を抑制するための水封部を有し、前記連絡管から前記排水トラップへの排水は、前記水封部の直上から行われるとよい。
こうすることで、排水トラップの水封部に対して温水供給管内の滞留水を直接排水することができる。これにより、水封部に排水を直に当てることができるため、水封部をより効果的に洗浄することができる。
【００１１】
上記の排水設備において、前記制御装置は、タイマーを有し、前記タイマーの時刻が所定時刻になったときには、前記電磁弁を開く制御を実行するとよい。
こうすることで、所定時刻に合わせて温水供給管内の滞留水を排水することができる。これにより、所定時刻の後に直ちに温水供給先に温水を提供することができる。
【００１２】
上記の排水設備において、前記温水供給管内の水温を検知する温度センサを有し、前記制御装置は、前記温度センサによって検知される水温が第１設定温度以下になったときには、前記電磁弁を開く制御を実行するとよい。
こうすることで、温水供給管内の滞留水の温度が第１設定温度以下となると、排水することができる。これにより、温水供給管内の滞留水の温度が第１設定温度以下とならないように制御できる。そのため、温水供給先に第１設定温度以下の水が供給されるのを抑制できる。
【００１３】
上記の排水設備において、前記制御装置は、前記電磁弁を開いた後に、前記温度センサによって検知される水温が第１設定温度より高い第２設定温度以上になったときには、前記電磁弁を閉じる制御を実行するとよい。
こうすることで、温水供給管内の滞留水の温度が一定の温度範囲となるように制御できる。これにより、温水供給先に提供される水の温度が低くならないように制御できる。
【００１４】
上記の排水設備において、前記温度センサは、前記温水供給管のうち前記第一排水管への分岐部よりも上流側に設けられるとよい。
こうすることで、温水供給管を通じて供給される水の温度を精度良く検知することができる。
【発明の効果】
【００１５】
本発明によれば、温水供給管内の滞留水を排水する際の漏水を抑制することができる。
【図面の簡単な説明】
【００１６】
【図１】本実施形態に係る排水設備の全体構成を示す図である。
【図２】通常時における自封式トラップの状態を模式的に示す図である。
【図３】水通過時における自封式トラップの状態を模式的に示す図である。
【図４】連絡管の接続部における排水トラップの断面を示す図である。
【図５】制御装置の構成を示す図である。
【図６】制御装置によるタイマーに基づく電磁弁の開閉制御のフロー図である。
【図７】制御装置による温度センサに基づく電磁弁の開閉制御のフロー図である。
【発明を実施するための形態】
【００１７】
以下、本発明の一実施形態（以下、本実施形態）に係る排水設備１について、図１乃至図７を参照しながら説明する。排水設備１は、例えば住宅等の建物に設けられ、給湯器２により生成された温水を供給する温水供給管１０内の滞留水を排水する構成を有するものである。
なお、以下に説明する実施形態は、本発明の理解を容易にするための一例に過ぎず、本発明を限定するものではない。すなわち、以下に説明する部材の名称、形状、寸法、配置等については、本発明の趣旨を逸脱することなく、変更、改良され得るとともに、本発明にはその等価物が含まれる。
【００１８】
＜排水設備１の構成＞
図１に示されるように、排水設備１は、主要な構成として、温水供給管１０、第一排水管２０、電磁弁３０、温度センサ３５、制御装置４０、自封式弁５０、第二排水管６０、排水トラップ７０及び連絡管８０を備える。
【００１９】
温水供給管１０は、温水供給先へ温水を供給するために敷設される管である。
本実施形態では、温水供給管１０は給湯器２と蛇口３とを接続し、給湯器２により生成される温水を、温水供給先としての蛇口３に供給する。
なお、以下において、温水供給管１０において温水が流れる元の方を上流側、流れる先の方を下流側と称する。具体的には、温水供給管１０において給湯器２側が上流側、蛇口３側が下流側となる。
【００２０】
また、蛇口３の接続部３Ａには、温水（湯）を供給する温水供給管１０と、加温されていない水（水道水）を供給する水道水供給管５が接続されており、温度調整部３Ｂにより温水供給管１０と水道水供給管５のそれぞれの弁の開閉度合いが調整される。そして、水流を調整するためのハンドル３Ｃが回されると、ハンドル３Ｃの回転に応じた弁の開きに応じて、水道水供給管５と温水供給管１０から供給される水道水と温水（湯）が温度調整部３Ｂによる調整に応じて混合されて蛇口３から洗面器６に流れるようになっている。
【００２１】
また、洗面器６の下部には、洗面器６からの下水を排水するための第二排水管６０が設けられる。
そして、第二排水管６０には、排水トラップ７０が設けられる。具体的には、排水トラップ７０は、洗面器６の排水口に連結して設けられており、排水トラップ７０の下端が第二排水管６０の下流側配管６１に連結して設けられている。なお、排水トラップ７０の設けられる位置は、上記の例に限られず、第二排水管６０の途中であってよい。
【００２２】
図４に示されるように、排水トラップ７０は、排水トラップ７０より下流側からの流体の逆流を遮るための水封部７３を有する。
具体的には、排水トラップ７０は、外壁７１と内壁７５との間に、椀７４が設けられており、これにより、下流空間６２と上流空間６３との間に水封部７３が構成される。
このように排水トラップ７０には水封部７３が設けられることにより、排水トラップ７０よりも下流側の下流側配管６１からの臭気が上流空間６３側には届きにくくなっている。
【００２３】
なお、温水供給管１０内で温水が滞留すると、その温水が冷えて低温の水となる。そして、温水供給管１０内の滞留水が冷えた状態で、給湯器２から蛇口３に向けて温水を供給すると、温水供給管１０内の冷えた滞留水が蛇口３から供給されることとなる。
そこで、本実施形態に係る排水設備１では、温水利用者に蛇口３から水を提供する前に、予め温水供給管１０内の滞留水を排水し、これにより温水利用者が蛇口３から水が供給されることを抑制するようにしている。
以下、温水供給管１０内の滞留水を排水するための構成について説明する。
【００２４】
まず、排水設備１では、温水供給管１０には、給湯器２から蛇口３の間に設けられた分岐部１０Ａから分岐する第一排水管２０が設けられている。この第一排水管２０は、温水供給管１０内に溜まった水を排水するために敷設される管である。
【００２５】
そして、第一排水管２０の途中には、温水供給管１０と第一排水管２０とを連通させるために開閉する電磁弁３０が設けられている。この電磁弁３０の開閉は、制御装置４０により制御される。
なお、通常時においては、電磁弁３０は閉じており、温水供給管１０と第一排水管２０とは連通しておらず、温水供給管１０から第一排水管２０に向けて水は流れないようになっている。
なお、上記の「通常時」とは、温水供給管１０の滞留水を、第一排水管２０を通じて排水する時以外である。換言すれば、電磁弁３０を閉じている時が上記の「通常時」に相当する。
これに対し、排水時においては、電磁弁３０を開くことで、温水供給管１０と第一排水管２０を連通させて、温水供給管１０から第一排水管２０に向けて水が流れるようになる。
【００２６】
例えば、電磁弁３０は非通電時には弁を閉じており、通電時にのみ弁を開いて温水供給管１０と第一排水管２０とを連通させることとする。具体的には、電磁弁３０は、制御装置４０と電線３２により接続されており、制御装置４０が電線３２を通じて電磁弁３０への電力供給のオンとオフを切り替えることにより、電磁弁３０の弁の開閉を制御する。
なお、制御装置４０による電磁弁３０の開閉制御の詳細については後述する。
【００２７】
そして、第一排水管２０において電磁弁３０よりも下流側には、自封式弁５０が設けられている。
自封式弁５０は、第一排水管２０に設けられ、通常時には第一排水管２０を閉塞し、制御装置４０が電磁弁３０を作動させたときには温水供給管１０から第一排水管２０へ流れ込んだ水を受け入れて第一排水管２０を開通させる。
自封式弁５０は、第一排水管２０に対する臭気や害虫の浸入を防ぐものであり、例えば自封式トラップを用いることとしてよい。
【００２８】
ここで、図２及び図３を参照しながら、自封式弁５０の構成について説明する。なお、以下に説明する自封式弁５０の構成は一例であって、これに限定されるものではなく、他の構成であってもよい。
図２に示されるように、自封式弁５０は、主要な構成として、上流連結部５１、下流連結部５２及び管体５３を有する。
上流連結部５１は、上流側の第一排水管２０に連結するコネクタ部分であり、下流連結部５２は、下流側の連絡管８０に連結するコネクタ部分である。例えば、上流連結部５１は第一排水管２０に対して接着され、下流連結部５２は連絡管８０に対して接着されることとしてよい。
管体５３は、上流連結部５１及び下流連結部５２の間に設けられており、外壁から中心に向けて延出する一対の弁体５４が形成される。弁体５４は弾性を有し、上流側からの水を受け入れることで変形し、受け入れた水を通過させる。一方で、下流側からの水に対しては変形せずに、下流側から上流側への逆流を防止する。
この一対の弁体５４の下流側の端部である弁体端部５４Ａは通常時（すなわち流体が通らない時）において互いに当接することで弁体５４により自封式弁５０は閉塞している。すなわち、通常時において、自封式弁５０は、弁体５４により上流空間５５と下流空間５６とに分けられている。これにより、下流空間５６側からの臭気が上流空間５５側に上がらないようになっている。
なお、自封式弁５０は、逆止弁を含むものである。
【００２９】
一方、電磁弁３０を開くことで、温水供給管１０から第一排水管２０を通じて自封式弁５０に水Ｗが流れ込むと、図３に示されるように水Ｗの水流によって弁体５４が外側に押し広げられて、一対の弁体端部５４Ａが離間することとなる。こうして、上流空間５５と下流空間５６とが連通し、自封式弁５０の内部を水Ｗが通過することとなる。
すなわち、電磁弁３０を開くことで、温水供給管１０の滞留水が第一排水管２０、自封式弁５０を通じて、自封式弁５０の下流連結部５２に連結される連絡管８０に流れ込むこととなる。
【００３０】
連絡管８０は、第一排水管２０から自封式弁５０を通じて排水される水を排水トラップ７０へ向けて流すために敷設される管である。
すなわち、図１に示されるように、連絡管８０の上流側端部８１は自封式弁５０に連結し、下流側端部８２（連絡管８０の一端に相当）は排水トラップ７０に連結している。
【００３１】
具体的には、図４に示されるように、連絡管８０の下流側端部８２は、排水トラップ７０の外壁７１に設けられた貫通孔７２に接続されている。
より具体的には、排水トラップ７０の外壁７１のうち、水封部７３より上方に貫通孔７２が形成され、貫通孔７２に連絡管８０の下流側端部８２が入り込んだ状態で取付部材８５により固定されている。
なお、下流側端部８２の先端に設けられた吐出口８３は下方に延出する外壁７１と椀７４の間を向いている。すなわち、吐出口８３は下方の水封部７３に向いている。これにより、連絡管８０から排水トラップ７０への排水は、水封部７３の直上から行われることとなる。
【００３２】
上記のように連絡管８０を排水トラップ７０に接続することで、温水供給管１０の滞留水を、水封部７３に直接当てることができる。そのため、温水供給管１０からの排水の水流により水封部７３に溜まっている水及び残留物を下流側配管６１に向けて押し流すことができる。このように排水設備１では、温水供給管１０の滞留水の排水を、水封部７３の洗浄に利用することができる。
【００３３】
ここで、第一排水管２０、自封式弁５０及び連絡管８０の径は特に限定されるものではなく、例えば第一排水管２０、自封式弁５０及び連絡管８０の径は、温水供給管１０の径と同程度としてもよいし、温水供給管１０の径よりも細くしてもよい。例えば、温水供給管１０の径に比べて、第一排水管２０、自封式弁５０及び連絡管８０の径を細くした場合には、第一排水管２０から連絡管８０を流れる水の速度が速くなるため、より強い勢いで水封部７３に温水供給管１０の滞留水を当てることができる。これにより、水封部７３の洗浄をより効果的に行うことができる。
また、第一排水管２０、自封式弁５０及び連絡管８０の径を細くする以外にも、吐出口８３をノズル形状とすることによっても、水封部７３に強い水流を当てることが可能となる。
【００３４】
また、図１に示されるように、排水設備１には、温水供給管１０内の水の温度を検知するための温度センサ３５が設けられる。温度センサ３５は、信号線３６を通じて制御装置４０に接続されており、温度センサ３５で検知された水温のデータは制御装置４０に出力される。
【００３５】
なお、温度センサ３５は、温水供給管１０のうち第一排水管２０への分岐部１０Ａよりも上流側に設けられる。すなわち、温度センサ３５は、電磁弁３０よりも上流側に設けられる。
こうすることで、電磁弁３０を開いた場合には、給湯器２から温水供給管１０を通じて第一排水管２０に流れる水の温度を温度センサ３５により検知することができる。
これに対して、仮に分岐部１０Ａよりも下流側に温度センサ３５を設けた場合には、分岐部１０Ａから蛇口３の間に滞留している水の温度を検知してしまうため、給湯器２から送り出される水の温度を検知しにくくなる。
【００３６】
なお、温度センサ３５は、検知部が温水供給管１０の内部に設けられることで温水供給管１０内の水の温度を検知してもよいし、温水供給管１０の外部から非接触で温水供給管１０内の水の温度を検知してもよい。また、温水供給管１０の温度を計測することで、温水供給管１０内の水の温度を推定することとしてもよい。
【００３７】
＜制御装置４０による電磁弁３０の開閉制御＞
次に、図５を参照しながら、制御装置４０の構成例及び制御装置４０による電磁弁３０の開閉制御の詳細について説明する。
図５に示されるように、制御装置４０は、プロセッサ４１、メモリ４２、タイマー４３、電力供給回路４４、入出力インターフェース４５、入力部４６及び表示部４７を有する。
【００３８】
プロセッサ４１は、プログラムに記述された命令セットを実行するためのハードウェア（例えばＣＰＵ）である。そして、プロセッサ４１は、メモリ４２に記憶されるプログラムやデータに基づいて各種の演算処理を実行するとともに、制御装置４０の各部を制御する。
【００３９】
メモリ４２は、各種のプログラムやデータを記憶するほか、プロセッサ４１のワークメモリとしても機能する。
【００４０】
タイマー４３は、計時機能を有する装置である。例えば、タイマー４３は、電子回路により実現されることとしてよい。
【００４１】
電力供給回路４４は、電線３２により接続された電磁弁３０等の他の装置に駆動電力を供給する。例えば、電力供給回路４４は、コンセントと、コンセントからの電力供給のオンとオフを切り替えるスイッチを有しており、プロセッサ４１の制御に応じてスイッチのオンとオフとを切り替えることで、コンセントを通じて接続される他の装置への電力供給を制御する。
【００４２】
例えば、プロセッサ４１は、タイマー４３の時刻が所定時刻になったときには、電磁弁３０を開く制御を実行する。例えば上記の所定時刻は、メモリ４２に記憶されることとしてよい。
具体的には、プロセッサ４１は、タイマー４３の時刻がメモリ４２に記憶される所定時刻になったと判定した場合に、電力供給回路４４のスイッチをオフからオンに切り替えることで、電力供給回路４４から電線３２を通じて電磁弁３０に電力を供給する。これにより、電磁弁３０が開き、温水供給管１０から第一排水管２０が連通する。
また、プロセッサ４１は、所定時刻から所定の時間が経過すると、電力供給回路４４のスイッチをオンからオフに切り替えることで、電力供給回路４４から電磁弁３０への電力供給を停止する。これにより、電磁弁３０が閉じ、第一排水管２０が閉塞する。
【００４３】
また例えば、プロセッサ４１は、温度センサ３５で検知した温水供給管１０内の水の温度が第１設定温度以下になったときには、電磁弁３０を開く制御を実行する。
そして、プロセッサ４１は、電磁弁３０を開いた後に、温度センサ３５によって検知される水温が第１設定温度より高い第２設定温度以上になったときには、電磁弁３０を閉じる制御を実行する。
上記の「第１設定温度」と「第２設定温度」はそれぞれメモリ４２に記憶されることとしてよい。
そして、上記の電磁弁３０を開く制御と閉じる制御は、それぞれプロセッサ４１が電力供給回路４４のスイッチのオンとオフを切り替えることにより実行されるものである。
【００４４】
入出力インターフェース４５は、信号線３６により接続されたセンサからの検知信号を受信する。例えば、入出力インターフェース４５は、信号線３６を介して温度センサ３５から温水供給管１０内の水の温度を示す信号を受信する。温度センサ３５から受信する信号は、デジタル信号であってもよいしアナログ信号であってもよい。
【００４５】
入力部４６は、タッチパネルやボタンにより実現され、利用者からの操作入力を受け付ける。
例えば、入力部４６は、上記の電磁弁３０を開く所定時刻の入力を受け付けて、受け付けた所定時刻をメモリ４２に記憶する。
また、入力部４６は、上記の電磁弁３０を開く第１設定温度と、電磁弁３０を閉じる第２設定温度の入力を受け付けて、受け付けた第１設定温度と第２設定温度をメモリ４２に記憶する。
【００４６】
表示部４７は、例えば液晶ディスプレイ装置等により実現される。具体的には、表示部４７は、タイマー４３の時刻を表示したり、上記の所定時刻、第１設定温度、第２設定温度等の設定画面を表示したりする。
【００４７】
次に、図６及び図７に基づいて、制御装置４０による電磁弁３０の開閉制御の流れについて説明する。
【００４８】
＜＜タイマー４３に基づく制御の例＞＞
まず、図６に基づいて、設定された時刻に基づいて電磁弁３０の開閉を制御する例について説明する。
【００４９】
図６に示されるように、制御装置４０は、入力部４６への入力に基づいて温水供給管１０の滞留水を排水する排水時刻を設定する（Ｓ１）。
【００５０】
次に、制御装置４０は、タイマー４３の時刻が、上記設定された排水時刻になっていない場合には（Ｓ２：Ｎｏ）、電磁弁３０を閉じたまま待機し、タイマー４３の時刻が、上記設定された排水時刻になった場合には（Ｓ２：Ｙｅｓ）、電力供給回路４４を制御して電磁弁３０を開く（Ｓ３）。
【００５１】
そして、制御装置４０は、電磁弁３０を開いてから所定時間が経過していない場合には（Ｓ４：Ｎｏ）、電磁弁３０を開いたまま待機し、電磁弁３０を開いてから所定時間が経過した場合には（Ｓ４：Ｙｅｓ）、電力供給回路４４を制御して電磁弁３０を閉じる（Ｓ５）。
【００５２】
制御装置４０は、上記の処理を定期的に実行する。また、上記の例では制御装置４０は利用者により設定された排水時刻に基づいて温水供給管１０の滞留水を排水することとしたが、排水時刻は制御装置４０が機械的に設定してもよい。一例としては、制御装置４０は、住宅において一日の最初に給湯器２を利用する時間を学習し、学習された時刻より前の時刻に上記の排水時刻を設定することとしてよい。
【００５３】
また、電磁弁３０を開いてから電磁弁３０を閉じるまでの時間も入力部４６による入力により設定可能としてもよいし、温水供給管１０の長さに応じて設定してもよい。
【００５４】
＜＜温度センサ３５に基づく制御の例＞＞
次に、図７に基づいて、温度センサ３５により検知される温水供給管１０内の水温に基づいて電磁弁３０の開閉を制御する例について説明する。
【００５５】
図７に示されるように、制御装置４０は、入力部４６への入力に基づいて温水供給管１０の滞留水の排水を開始する第１設定温度（Ｔ１）と、排水を停止する第２設定温度（Ｔ２）を設定する（Ｓ１１）。
なお、第１設定温度は第２設定温度よりも低いこととする。
【００５６】
次に、制御装置４０は、温度センサ３５により温水供給管１０内の水温を測定し（Ｓ１２）、測定される水温が、上記設定された第１設定温度より大きい場合には（Ｓ１３：Ｎｏ）、電磁弁３０を閉じたまま待機する。
一方で、制御装置４０は、温度センサ３５により測定される水温が、上記設定された第１設定温度以下となった場合には（Ｓ１３：Ｙｅｓ）、電力供給回路４４を制御して電磁弁３０を開く（Ｓ１４）。
【００５７】
次に、制御装置４０は、電磁弁３０を開いた後に、温度センサ３５により測定される水温が、上記設定された第２設定温度より小さい場合には（Ｓ１５：Ｎｏ）、電磁弁３０を開いたまま待機し、上記設定された第２設定温度以上となった場合には（Ｓ１５：Ｙｅｓ）、電力供給回路４４を制御して電磁弁３０を閉じる（Ｓ１６）。
【００５８】
制御装置４０は、Ｓ１６の後に処理を終了してもよいし、再びＳ１２に戻りそれ以降の処理を定期的に実行することとしてもよい。
また、制御装置４０は、上記のタイマー４３に基づく制御と、温度センサ３５に基づく制御との両方を実行することとしてもよい。
【００５９】
また、上記の実施形態では、温度センサ３５を、電磁弁３０の上流側に設けた例について説明したが、温度センサ３５の設置箇所、設置数は上記の例に限定されない。例えば、温度センサ３５は、電磁弁３０の上流側と、給湯器２の出湯部付近の二箇所に設けてもよい。以下では、電磁弁３０の上流側直近の温度センサを第１温度センサ、給湯器２の出湯直近の温度センサを第２温度センサとし、制御例について具体的に説明する。
給湯器２の出湯温度は任意（例えば４０度〜６０度）に設定でき、蛇口３の温度調整部３Ｂによって凡そ４０℃になるよう湯水が混合される。また、人が湯と感じる水の温度を３０度とする。
例えば、第１温度センサの検知温度が３０度を下回った時に、電磁弁３０に通電して電磁弁３０を開き、第一排水管２０、自封式弁５０及び連絡管８０を通じて排水を開始させる。
次に、給湯器２からの給湯が開始すると、第１温度センサの検知温度が上昇し、その後管内の流速に比例して第２温度センサの検知温度が遅れて上昇することとなる。
その後（第１温度センサと第２温度センサとの距離にもよるが凡そ数秒後）に第１温度センサと第２温度センサのそれぞれの検知温度がほぼ同じとなると（例えば両者の検知温度の差が閾値以内）、電磁弁３０への通電を停止し、第一排水管２０、自封式弁５０及び連絡管８０からの排水を停止させる。
【００６０】
＜まとめ＞
以上説明した本実施形態に係る排水設備１の主な特徴は以下の通りである。
［１］本実施形態に係る排水設備１は、温水供給先（例えば蛇口３）へ温水を供給するために敷設された温水供給管１０と、温水供給管１０内に溜まった水を排水するために敷設された第一排水管２０と、温水供給管１０と第一排水管２０とを連通させるために開閉する電磁弁３０と、電磁弁３０を制御する制御装置４０と、第一排水管２０に設けられ、通常時には第一排水管２０を閉塞し、制御装置４０が電磁弁３０を作動させたときには温水供給管１０から第一排水管２０へ流れ込んだ水を受け入れて第一排水管２０を開通させる自封式弁５０と、下水を排水するために敷設された第二排水管６０と、第一排水管２０から自封式弁５０を通じて排水される水を第二排水管６０へ向けて流すために敷設された連絡管８０と、を有する。
上記の排水設備１によれば、自封式弁５０を通じて排水される温水供給管１０内の滞留水を、下水を排水するための第二排水管６０に直接流し込むことができる。これにより、温水供給管１０内の滞留水を排水する際の漏水を抑制できる。
なお、自封式弁５０は、弁体５４により、通水時以外においては、上流空間５５と下流空間５６とを分け、下流側からの流体の逆流を防止するとともに、下流側からの臭気も上流側に流れこむことを防止するものである。このように、温水供給管１０から第二排水管６０への排水管の途中に自封式弁５０を設けることで、温水供給管１０内の滞留水を、下水を排水するための第二排水管６０に直接流し込むことができる。
【００６１】
［２］上記の排水設備１において、第二排水管６０に設けられた排水トラップ７０を有し、連絡管８０は、第一排水管２０から自封式弁５０を通じて排水される水を排水トラップ７０へ向けて流す。
こうすることで、自封式弁５０を通じて排水される温水供給管１０内の滞留水を、下水を排水するための第二排水管６０に設けられた排水トラップ７０に向けて流し込むことができる。これにより、温水供給管１０内の滞留水を用いて、第二排水管６０に設けられた排水トラップ７０を洗浄することができる。
【００６２】
［３］上記の排水設備１において、連絡管８０の一端（下流側端部８２）は、排水トラップ７０の外壁７１に設けられた貫通孔７２に接続されている。
こうすることで、簡易な構成により温水供給管１０内の滞留水を、排水トラップ７０に直接流し込むことができる。これにより、温水供給管１０内の滞留水を用いて、第二排水管６０に設けられた排水トラップ７０を洗浄することができる。
また、このように温水供給管１０内の滞留水を排水トラップ７０に直接流し込むことで、排水時の騒音を抑制できる。
【００６３】
［４］上記の排水設備１において、排水トラップ７０は、排水トラップ７０より下流側からの臭気の到達を抑制するための水封部７３を有し、連絡管８０から排水トラップ７０への排水は、水封部７３の直上から行われる。
こうすることで、排水トラップ７０の水封部７３に対して温水供給管１０内の滞留水を直接排水することができる。これにより、水封部７３に排水を直に当てることができるため、水封部７３をより効果的に洗浄することができる。
【００６４】
［５］上記の排水設備１において、制御装置４０は、タイマー４３を有し、タイマー４３の時刻が所定時刻になったときには、電磁弁３０を開く制御を実行する。
こうすることで、所定時刻に合わせて温水供給管１０内の滞留水を排水することができる。これにより、所定時刻の後に直ちに温水供給先に温水を提供することができる。
【００６５】
［６］上記の排水設備１において、温水供給管１０内の水温を検知する温度センサ３５を有し、制御装置４０は、温度センサ３５によって検知される水温が第１設定温度以下になったときには、電磁弁３０を開く制御を実行する。
こうすることで、温水供給管１０内の滞留水の温度が第１設定温度以下となると、排水することができる。これにより、温水供給管１０内の滞留水の温度が第１設定温度以下とならないように制御できる。そのため、温水供給先に第１設定温度以下の水が供給されるのを抑制できる。
【００６６】
［７］上記の排水設備１において、制御装置４０は、電磁弁３０を開いた後に、温度センサ３５によって検知される水温が第１設定温度より高い第２設定温度以上になったときには、電磁弁３０を閉じる制御を実行する。
こうすることで、温水供給管１０内の滞留水の温度が一定の温度範囲となるように制御できる。これにより、温水供給先に提供される水の温度が低くならないように制御できる。
【００６７】
［８］上記の排水設備１において、温度センサ３５は、温水供給管１０のうち第一排水管２０への分岐部１０Ａよりも上流側に設けられる。
こうすることで、温水供給管１０を通じて供給される水の温度を精度良く検知することができる。
【００６８】
＜その他の実施形態＞
本発明は上記の実施形態に限定されるものではない。
例えば、排水トラップ７０には、椀トラップ以外にも管トラップ、ドラムトラップ等の各種トラップを用いてもよい。
また、タイマー４３による排水を行う場合には、排水時刻を、月、日、曜日ごとに設定可能としてもよい。
また、排水設備１は、洗面器６だけでなく、キッチンのシンクやその他の水回りの箇所にも設けることができる。
【００６９】
また、上記の実施形態では、連絡管８０を排水トラップ７０に接続した例について説明したが、連絡管８０は第二排水管６０の任意の位置、例えば下流側配管６１に接続してもよい。
【００７０】
また、自封式弁５０の上流側（一次側）に長期間、残留水が停滞すると、残留水の腐食、固形化等が起こり、不衛生的である上に、自封式弁５０を劣化させてしまう可能性もある。これを防止するため、電磁弁３０と自封式弁５０の間に吸気弁やバキュームブレーカ等の負圧破壊装置を設け、自封式弁５０の上流側（一次側）の残留水をできる限り、排出してしまうようにしてもよい。
【符号の説明】
【００７１】
１  排水設備
２  給湯器
３  蛇口（温水供給先）
３Ａ  接続部
３Ｂ  温度調整部
３Ｃ  ハンドル
５  水供給管
６  洗面器
１０  温水供給管
１０Ａ  分岐部
２０  第一排水管
３０  電磁弁
３２  電線
３５  温度センサ
３６  信号線
４０  制御装置
４１  プロセッサ
４２  メモリ
４３  タイマー
４４  電力供給回路
４５  入出力インターフェース
４６  入力部
４７  表示部
５０  自封式弁
５１  上流連結部
５２  下流連結部
５３  管体
５４  弁体
５４Ａ  弁体端部
５５  上流空間
５６  下流空間
６０  第二排水管
６１  下流側配管
６２  下流空間
６３  上流空間
７０  排水トラップ
７１  外壁
７２  貫通孔
７３  水封部
７４  椀
７５  内壁
８０  連絡管
８１  上流側端部
８２  下流側端部
８３  吐出口
８５  取付部材
Ｗ  水
【図１】
2019152049.tif 000003
【図２】
2019152049.tif 000004
【図３】
2019152049.tif 000005
【図４】
2019152049.tif 000006
【図５】
2019152049.tif 000007
【図６】
2019152049.tif 000008
【図７】
2019152049.tif 000009